(57)【要約】本発明は、白色の光源（１）、相補的なＢ、Ｇ及びＲの光ビームを形成する手段、少なくとも、液晶によって放出された光を変調する、Ｂ、Ｇ及びＲのビームを原色の各々に割り当てられた液晶に集束させるための光学的手段を備えた液晶マトリックス、及び基本点ごとにそれらを併合することによってスクリーンに液晶の画像を投影するための光学系（１５）を含む液晶カラーディスプレイデバイスに関係する。デバイスは、色Ｂ、Ｖ、Ｒの混合物を含有する二つの基本源（１ａ、１ｂ）を形成する光学的分割手段（Ｓ）を含み、前記源（１ａ、１ｂ）は、間隔を隔てており、少なくとも二つの光路（Ｃｇ、Ｃｒｂ）は、マトリックス（Ｍｂ、Ｍｒｂ）を含み、経路の一つ（Ｃｇ）は、単一の色（Ｇ）に割り当てられ、他の経路は、二つの他の色Ｂ及びＲに割り当てられる。
2004507796.tif 000002
【特許請求の範囲】
【請求項１】
多色性の、特に白色の、光源（１）、
波長の範囲が異なると共にそれぞれ三原色、青色Ｂ、緑色Ｇ及び赤色Ｒに対応する相補的な光ビームを、この光源から形成する手段、
それぞれ前記原色の各々に割り当てられた液晶上へ前記対応する相補的な光ビーム（Ｂ、Ｇ、Ｒ）を集束させる光学的手段を備え、電子式手段（Ｅ）が所望の強度に従って前記液晶上で作用すると共にそれらによって放出された光を変更するように提供された、少なくとも一つの液晶マトリックス、並びに
スクリーン上へ前記液晶の画像を投影すると共に基本スポットごとにそれらを併合する光学系（１５）を含む、液晶カラーディスプレイデバイスであって、
それは、
しかしながら前記原色Ｂ、Ｇ、Ｒの混合物を含有する異なる波長の範囲を有する少なくとも二つの基本源（１ａ、１ｂ）を前記多色性の光源から形成する光学的分割手段（Ｓ）、及び
各々が液晶マトリックス（Ｍｇ、Ｍｒｂ）を含む少なくとも二つの光学的チャネル（Ｃｇ、Ｃｒｂ）を含み、
これらの基本源（１ａ、１ｂ）は、幾何学的に別々であり、
前記チャネルの一つ（Ｃｇ）は、前記単一の原色Ｇに割り当てられ、
前記他のチャネルは、前記他の二つの原色Ｂ及びＲに割り当てられることを特徴とする液晶カラーディスプレイデバイス。
【請求項２】
たった二つの光学的チャネルが提供されることを特徴とする請求項１記載のディスプレイデバイス。
【請求項３】
各チャネルに割り当てられた前記液晶マトリックス（Ｍｇ、Ｍｒｂ）は、同一であり、同じ数のピクセルをもつので、前記Ｇ（緑色）チャネルにおける分解能は、前記他のマトリックスのピクセルを分かつ前記二つの他の原色Ｂ及びＲに対する分解能の二倍であることを特徴とする請求項１記載のディスプレイデバイス。
【請求項４】
前記光学的分割手段（Ｓ）は、前記波長に従って前記光を偏向させる手段、特に回折格子（３）を含むことを特徴とする請求項１乃至３いずれか１項記載のディスプレイデバイス。
【請求項５】
補正的プリズム（４）は、前記白色の光源（１）の出口に置かれることを特徴とする請求項４項記載のディスプレイデバイス。
【請求項６】
二つのライドガイド（５ａ、５ｂ）は、前記ビームの一部分を受け、
各ガイド（５ａ、５ｂ）は、出力として基本源（１ａ、１ｂ）を与え、
前記基本源の波長の範囲は、前記他の基本源のものと異なることを特徴とする請求項４又は５項記載のディスプレイデバイス。
【請求項７】
第一の基本源（１ａ）は、より小さい波長の範囲に対応し、
前記他の基本源（１ｂ）は、より大きい波長の範囲に対応することを特徴とする請求項１乃至６いずれか１項記載のディスプレイデバイス。
【請求項８】
前記第一の基本源（１ａ）は、可視スペクトルの下側の部分、４２０ｎｍ乃至５５０ｎｍに対応し、
前記他の基本源（１ｂ）は、可視スペクトルの上側の部分、５５０ｎｍ乃至６８０ｎｍに対応することを特徴とする請求項７記載のディスプレイデバイス。
【請求項９】
光学的分割器（Ｆ１）は、二つの光学的チャネルを生成させるために前記二つのライトガイドの出口に提供され、
一つ（Ｃｇ）は、前記単一の色の緑色Ｇに、前記他（Ｃｒｂ）は、前記色の青色Ｂ及び赤色Ｒに割り当てられることを特徴とする請求項６記載のディスプレイデバイス。
【請求項１０】
前記分割器は、Ｂ及びＲを反射させると共にＧを透過させるか又は反対である二色性フィルター（Ｆ１）からなることを特徴とする請求項９記載のディスプレイデバイス。
【請求項１１】
前記二つの光学的チャネル（Ｃｇ、Ｃｒｂ）は、これらのチャネルの各々に割り当てられた前記二つのマトリックス（Ｍｇ、Ｍｒｂ）であるように９０°に置かれ、
前記二つのチャネルの併合は、４５°に傾斜した半透明ミラー（１４）又は二色性再結合ミラーによって達成されることを特徴とする請求項１乃至１０いずれか１項記載のディスプレイデバイス。
【請求項１２】
前記赤色−青色のチャネル（Ｃｒｂ）の場合には、二つの隣接するピクセル（８ａ、８ｂ）は、それぞれ、前記赤色Ｒ及び前記青色Ｂに割り当てられるのに対して、
前記緑色のチャネル（Ｃｇ）の場合には、二つの隣接するピクセルは、緑色の光Ｇの二つのビームによって照明されることを特徴とする請求項１乃至１１いずれか１項記載のディスプレイデバイス。
【請求項１３】
フレネルレンズ（Ｌ）は、前記光学的分割器（Ｆ１）及び前記液晶マトリックスの間に置かれることを特徴とする請求項１乃至１２いずれか１項記載のディスプレイデバイス。
【請求項１４】
単純なミラー（７）は、好ましくは９０°に前記ビームを折り返すために、前記フレネルレンズ（Ｌ）及び前記液晶マトリックス（Ｍｇ、Ｍｒｂ）の間に置かれることを特徴とする請求項１３記載のディスプレイデバイス。
【請求項１５】
前記光源（１）は、楕円反射体（２）が備え付けられることを特徴とする請求項１乃至１４いずれか１項記載のディスプレイデバイス。
【発明の詳細な説明】
【０００１】
本発明は、
−多色性の、特に白色の、光源、
−この光源から相補的な光ビームを形成するための手段、を含み、
その波長の範囲は、異なると共にそれぞれ三原色、青色Ｂ、緑色Ｇ及び赤色Ｒに対応し、
−それぞれ原色の各々に割り当てられた液晶上へ、対応する相補的な光ビームを集束させるための光学的手段を備えた少なくとも一つの液晶マトリックス、を含み、
電子式手段は、所望の強度に従って、液晶上で作用すると共にそれらによって放出された光を変更するように提供され、及び
−スクリーン上へ液晶の画像を投影すると共に基本スポットごとにそれらを併合するための光学系、を含むものの種類の液晶カラーディスプレイデバイスに関する。
【０００２】
この種のカラーディスプレイデバイスは、既知であり、これらは、通常“空間色のプロジェクター”と呼ばれ、源によって放出された白色光は、白色光のビームの平均の方向に関して異なる角度で傾斜した三つの二色性ミラー上へ向けられた平行なビームとして形成される。三つの二色性ミラーは、原色Ｂ、Ｇ及びＲに対応する三つの相補的な光ビームを生成させるために使用される。これらの三つのビームは、各基本のビームを、原色に割り当てられた液晶を位置させる、異なる点で集束させるように、液晶マトリックス上への入射のわずかに異なる角度を有する。液晶が自己照明しないこと、及び光のスポットを構成するためにはそれらを照明しなければならないことが想起されると思われる。
【０００３】
従って、このようなデバイスにおいて、液晶マトリックスの各水平線は、Ｂ、Ｇ、Ｒ；Ｂ、Ｇ、Ｒ；などに割り当てられた、ピクセルとも呼ばれる、一連の液晶を含む。投影が催されるスクリーン上で、単一の基本スポットは、三つの相補的なピクセルＢ、Ｇ、Ｒに対応し、スポットの色は、各対応する基本ピクセルＢ、Ｇ、Ｒの強度に依存する。
【０００４】
従って、スクリーン上へ投影された画像の水平方向における鮮明度を減少させることは直ちに明らかである。例えば、液晶マトリックスが、水平線に沿って９９９個のピクセルを含むとすれば、スクリーン上へ投影された水平線上にたった９９９／３＝３３３個の色が付いたスポットがあることになる。
【０００５】
液晶マトリックスの水平線毎のピクセルの数を増加させることによって、水平の鮮明度を改善することは想像できるであろう。しかしながら、これは、垂直／水平の不均衡、及びピクセル上にビームの画像を形成するための液晶マトリックが提供された手段に関する光学的な開口の問題に、帰着する場合もある。
【０００６】
さらに、ヒトの目の感度は、全ての周波数にわたって均一ではなく、それは、緑色の光に対して最大であることは既知である。
【０００７】
従って、演色を改善するためにこの事実を考慮に入れることは望まれるであろう。
【０００８】
このようにして、本発明の目的は、とりわけ、液晶マトリックスの製造を相応じて複雑にすることなく、スクリーン上へ投影された画像の分解能及び演色を改善することを可能にする、液晶カラーディスプレイデバイスを提供することである。
【０００９】
本発明に従って、上で定義した種類の液晶カラーディスプレイデバイスは、それが、
−しかしながら原色Ｂ、Ｖ、Ｒの混合物を含有する異なる波長の範囲を有する少なくとも二つの基本源を多色性の光源から形成するための光学的分割手段、を含み、
これらの基本源は、幾何学的に別々であり、及び
−各々が液晶マトリックスを含む少なくとも二つの光学的チャネル、を含み、
チャネルの一つは、単一の原色Ｇに割り当てられ、
他のチャネルは、他の二つの原色Ｂ及びＲに割り当てられる、ことを特徴とする。
【００１０】
好ましくは、たった二つの光学的チャネルが提供され、各チャネルに割り当てられた液晶マトリックスは、同一であり、同じ数のピクセルをもつので、Ｇ（緑色）チャネルにおける分解能は、他のマトリックスのピクセルを分かつ二つの他の原色Ｂ及びＲに対する分解能の二倍である。
【００１１】
都合良くは、二つの基本源を形成するための光学的分割手段は、白色の光源の出口に置かれた、波長に従って光を偏向させるための手段、特に回折格子、及び好ましくは補正的プリズムを含む。二つのライドガイドは、ビームの一部分を受け、各ガイドは、出力として基本源を与え、その波長の範囲が他の基本源のものと異なる。第一の基本源は、より小さい波長の範囲に、例えば４２０ｎｍ乃至５５０ｎｍの可視スペクトルの下側の部分に、対応する場合もあり、他の基本源は、より大きい波長の範囲に、例えば、５５０ｎｍ乃至６８０ｎｍの可視スペクトルの上側の部分に対応する。
【００１２】
光学的分割器は、二つの光学的チャネルを生成させるために、二つのライトガイドの出口に提供され、一つは、単一の色、緑色Ｇに、他は、色、青色Ｂ及び赤色Ｒに割り当てられる。分割器は、Ｂ及びＲを反射させると共にＧを透過させる二色性フィルター、又は反対にＢ及びＲを透過させると共にＧを反射させる二色性フィルター、からなっていてもよい。
【００１３】
好ましくは、二つの光学的チャネルは、これらのチャネルの各々に割り当てられた二つのマトリックスであるように、９０°に置かれる。二色性フィルターを光軸に対して４５°に傾斜させる。そして、二つのチャネルの併合は、４５°に傾斜した二色性再結合ミラー又は半透明ミラーによって達成される。
【００１４】
二つのライトガイドの出力は、二つの相補的な源に対応し、数ミリメートルの間隔を隔て、これらの源は、ビームを二つの隣接するピクセル上へ集束させるように、二つの異なる角度で液晶マトリックスを照明することを可能にする。赤色−青色のチャネルの場合には、二つの隣接するピクセルが、それぞれ、赤色及び青色に割り当てられるのに対して、緑色のチャネルの場合には、二つの隣接するピクセルは、緑色の光の二つのビームによって照明される。
【００１５】
好ましくは、フレネル（Ｆｒｅｓｎｅｌ）レンズが、光学的分割器及び液晶マトリックスの間に置かれる。また、好ましくは、単純なミラーは、好ましくは９０°にビームを折り返すために、フレネルレンズ及び液晶マトリックスの間に置かれる。本発明は、上述の配置は別として、ここで添付した図面を参照して詳細に記載するが決して限定していない例に関して、以下でより詳細に説明することになる、ある一定の数の他の配置からなる。
【００１６】
図１は、液晶カラーディスプレイデバイスＡを示す。
【００１７】
このデバイスは、楕円反射体２を備えた、例えば電気アークによって形成される白色の光源１を含む。源１からの光は、三原色、すなわち青色Ｂ、緑色Ｇ及び赤色Ｒの混合物である。
【００１８】
光学的分割手段Ｓは、白色の光源１から、異なる波長の範囲を有する二つの基本源１ａ、１ｂを形成するために提供される。二つの基本源１ａ、１ｂは、幾何学的に分離される。
【００１９】
光学的分割手段Ｓは、波長に従って異なって光を偏向させる、例えば２２０ｌ／ｍｍ（本の線毎ミリメートル）を有する回折格子３を含む。回折格子からある距離での平面Ｐにおいて、光を、伝播の方向に垂直な方向にわたって広げる。具体的には、問題を単純化するために、三つの領域Ｂ、Ｇ及びＲを示してきた。現実には、波長の分離は、特に連続スペクトルの場合には、急ではなく漸進的である。
【００２０】
回折格子３によって発生した収差（色コマ）を防止するために、良好な補正を提供すると共に光軸をランプ１の軸上に保つ、回折格子３及び源１の間に置かれる、プリズム４を提供することは都合がよい。
【００２１】
この軸上に一つの面をもつ、二つの並列したライトガイド５ａ、５ｂは、ランプ１の光軸のいずれかの側に置かれる。各ガイド５ａ、５ｂを、光軸の方向に垂直で平行な底面をもつ、ガラス又は透明なプラスチックで作られた角錐台によって形成してもよい。小さい底面は、回折格子３に向けられる。ガイド５ａ、５ｂの入口面は、平面Ｐにある。ガイド５ｂが、本質的に、緑色から赤色まで、例えば５５０ｎｍから６８０ｎｍまでに及び波長を受けるのに対して、図１に示す表現においては最上に位置する、ガイド５ａは、本質的に、緑色から青色まで、例えば５５０ｎｍから４２０ｎｍまでに及ぶ波長を受ける。
【００２２】
各ガイド５ａ、５ｂは、基本源１ａ、１ｂを形成するコンデンサ６ａ、６ｂと共に出口に備えられる。二つの源１ａ、１ｂの中心は、ランプ１の光軸に垂直に間隔を隔てる。各基本源１ａ、１ｂによって放出された光は、原色の混合物を含有する。
【００２３】
勾配二色性フィルターＦ１は、ガイド５ａ、５ｂの後に置かれ、フィルターは、光軸に対して４５°の角度で傾斜する。
【００２４】
フィルターＦ１の一つの端の近傍で源１ａ、１ｂから発出する光の光線の平均の方向は、他の端においてフィルターＦ１との光線の平均の方向の角度がα２であるのに対して、このフィルターと角度α１をなす。フィルターＦ１は、カットオフ周波数が、波長内で、両方の角度α１及びα２に対して同じか又はおおよそ同じであるように、設計される。
【００２５】
勾配二色性フィルターＦ１は、例えば、緑色Ｇを透過させると共に青色Ｂ及び赤色Ｒを反射させるように設計される。図１における図は、このような二色性フィルターＦ１に対応する。
【００２６】
変形として、勾配二色性フィルターを、Ｇを反射させると共にＢ及びＲを透過させるように設計することができるであろう。
【００２７】
フィルター１は、二つの光学的チャネルＣｇ及びＣｒｂを生じ、各々は、液晶マトリックスＭｇ、Ｍｒｂを含む。そのマトリックスＭｇを伴うチャネルＣｇは、そのマトリックスＭｒｂを伴う他のチャネルＣｒｂが、他の二つの原色Ｒ及びＢに割り当てられるのに対して、単一の原色Ｇに割り当てられる。
【００２８】
チャネルＣｇは、フィルター１の後、源１の光軸に垂直に、例えばプラスチックで作られると共に平行な光ビームを与えるフレネルレンズＬを含む。
【００２９】
フレネルレンズＬの後に置かれるのは、ビームを９０°だけ偏向させるために、光軸に対して４５°に傾斜した単純なミラー７である。
【００３０】
液晶マトリックスＭｇは、レンズＬに対して直角にミラー７の後に置かれる。
【００３１】
図２で理解してもよいが、マトリックスＭｇは、光の平均の方向に垂直な平面に置かれた透過性の液晶又は基本ピクセル８ａ、８ｂ、９ａ、９ｂを含む。図２に示すものに類似する平行なピクセルのラインは、図２の平面に垂直な方向で一つずつ随伴する。ピクセルは、一組み８ａ、８ｂなどで関連付けられ、一組みの各ピクセルは、基本源１ａ、１ｂの一つに対応する。源１ａ、１ｂの画像は、対応するピクセル８ａ、９ａ；８ｂ、９ｂなどの上に形成される。
【００３２】
この目的のために、液晶マトリックス（ＬＣＤマトリックス）には、プラスチック又はガラスで作られた透明な板１０が備え付けられ、その一つの面上には、板のマイクロレンズ１１が形成され、これらのマイクロレンズは、凸の円柱面からなり、その母線は、図２の平面に垂直である。どの一つのマイクロレンズ１１も、二つの異なる角度で、源１ａ、１ｂから発出する二つの平行なビームを受ける。入射の角度における差は、源１ａ、１ｂの幾何学的な分離を提供する。異なる入射の角度の各ビームは、それぞれのピクセル上へ集束されることになる。
【００３３】
マトリックスＭｇの場合には、一組み８ａ、８ｂの二つのピクセルは、緑色Ｇで（しかしながら、平均の波長におけるわずかな差を伴う）照明されることになり、これは、各ピクセルに割り当てられた文字Ｇによって図２に示される。
【００３４】
マトリックスＭｒｂは、好ましくは、同じ数のピクセルをもつマトリックスＭｇと同一である。赤色光Ｒのビームは、文字Ｒに割り当ててきたピクセル８ｂ、９ｂなどの上へ集束させられるのに対して、青色光Ｂの平行なビームは、１ａから発出し、その入射の角度は、１ｂから発出する赤色光Ｒのビームのものと異なる。青色光Ｂは、文字Ｂに割り当ててきた例えばピクセル８ａ、９ａなどの上へ集束させられる。スポットＢ及びスポットＲの数は、スポットＧの数の半分の多さであることになる。
【００３５】
電子式手段Ｅは、マイクロレンズ１０によって提供された照明に応じて、このピクセルに対する所望の光強度に従って、各基本ピクセル８ａ、８ｂ、９ａ、９ｂなどを駆動するために提供される。
【００３６】
要約すれば、ライトガイド５ａ、５ｂの出力によって形成された、数ミリメートルの間隔を隔てた二つの相補的な源１ａ、１ｂは、源１ａから発出するエネルギーが、ピクセル８ａ上へ集束されると共に他の源１ｂから発出するエネルギーが隣接するピクセル８ｂ上へ集束されるように、二つの異なる角度で液晶を照明するために使用され、このスキームは、同じラインに沿って二つのピクセルごとに繰り返される。
【００３７】
液晶マトリックスＭｇ又はＭｒｂの真向かいに置かれるのは、寄生光を減少させるための偏向子フィルター１２である。検光子フィルター１３は、液晶マトリックスの出口に置かれる。
【００３８】
第二のチャネルＣｒｂを、源１の光軸に対してフィルターＦ１によって直角に偏向させる。このチャネルＣｒｂもまた、マトリックスＭｇに対して直角に置かれたマトリックスＭｒｂ上へ源１のものに平行な軸に沿って光を送るために、４５°に傾斜した単純なミラー７が後に続くフレネルレンズＬを含む。
【００３９】
マトリックスＭｇ及びＭｒｂの液晶によって放出された二つのビームは、二つのマトリックスＭｇ及びＭｒｂの平面の二等分線に対して４５°に傾斜した半透明ミラー１４によって併合される。ミラー１４を、フィルターＦ１と整列させてもよい。またミラー１４は、都合良くは、再結合する二色性ミラーであってもよい。
【００４０】
ミラー１４の後に提供されるのは、変調されたピクセルＧ、Ｂ及びＲを併合することによって得られる画像の基本スポットをスクリーン１６上へ投影する（例えば、約１．６のＦ／Ｄ比をもつ）広角の対物レンズ１５である。スクリーン１６は、対物１５から反対側における画像を観察するために、半透明であってもよい。
【００４１】
投影機の動作は、上の説明から結果として生じる。
【００４２】
本質的にＧ及びＲで構成されたビームが、ライトガイド５ｂを通じて伝播するのに対して、本質的にＢ及びＧからなる光ビームは、ライトガイド５ａを通じて伝播する。幾何学的に空間を隔てた二つの基本源１ａ及び１ｂは、その波長の範囲が異なる光ビームを放出する。
【００４３】
二色性フィルターＦ１は、源１ａ及び１ｂから発出するビームの成分Ｇを通す。これらのビームは、二つのわずかに異なる角度で液晶マトリックスＭｇ上に入射する。各ビームは、関連付けられた液晶上へ集束させられる。
【００４４】
このように照明されたマトリックスＭｇの各液晶又はピクセル８ａ、８ｂ、などは、その強度が、問題のピクセルに関する電子式手段Ｅによって送出された制御信号によって変調される緑色光を放出するか又は透過させる。
【００４５】
源１ａから発出するビームの成分Ｂは、二色性フィルターＦ１によって反射される。同じことは、源１ｂから発出するビームの成分Ｒに当てはまる。二つのビームＢ及びＲは、わずかに異なる角度で液晶マトリックスＭｒｂ上へ向けられる。ビームＲが、例えばマトリックスＭｒｂの液晶８ｂ、９ｂなどの上へ集束されることになるのに対して、ビームＢは、例えばマトリックスＭｒｂの液晶８ａ、９ａなどの上へ集束されることになる。基本ピクセルＢ及びＲは、電子式手段Ｅによって送出された指示に依存する光の強度を有することになる。
【００４６】
次に、マトリックスＭｇのピクセル及びマトリックスＭｒｂのピクセルによって形成された光のスポットは、併合される。対物１５は、併合された基本スポットをスクリーン１６上へ投影する。
【００４７】
全系は、スクリーン１６上へ投影された画像の各色が付いたスポットが、二つのピクセルＧ、例えばマトリックスＭｇの８ａ、８ｂ、並びにピクセルＢ及びピクセルＲ、例えばそれぞれマトリックスＭｒｂの８ａ及び８ｂ、の併用から結果として生じるように、設計される。
【００４８】
好ましくは、二つのマトリックスＭｇ及びＭｒｂは、同一であり、例えば、ＸＧＡ（１０２４×７６８）ＬＣＤマトリックス、すなわち、水平方向に沿って１０２４ピクセル及び垂直方向に沿って７６８ピクセルからなる。
【００４９】
系は、スペクトル分割及び結合を成し遂げる二つのガイド５ａ、５ｂを使用する。分割は、一方が可視スペクトルの下側の部分、５５０ｎｍ乃至４２０ｎｍを、他方が、上側の部分、６８０ｎｍ乃至５５０ｎｍを透過させるように、二つのガイドの入口の物理的な制限によって達成される。ガイド５ａ、５ｂは、問題のスペクトルを結合させ、ガイドの出力は、空間色効果に関して意図された角度の分割を成し遂げる。
【００５０】
二つの対物又はコンデンサ６ａ、６ｂは、ＬＣＤの平面でこの出力の画像を形成するために、ガイドの出口で使用される。
【００５１】
二つの透過性ＬＣＤ、Ｍｇ及びＭｒｂを伴う投影機において、その一つは、緑色Ｇ用に、他は、青色Ｂ及び赤色Ｒ用に意図され、分割は、４５°ミラー又はフィルターＦ１によって、再結合は、同様にミラー１４によって果たされ、二つのミラーは、相互整列にあり、ＬＣＤは、これらのミラーに対して４５°及び互いに対して９０°である。
【００５２】
十分な開口の投影対物１５は、照明系によって発生したビームの範囲を許容するように、提供される。
【００５３】
本発明に従う投影デバイスは、三原色Ｂ、Ｇ及びＲが単一のマトリックスのピクセルの単一のラインに沿って分解される投影機と比較して全分解能を改善することを可能にする。さらに、演色は、目が最も敏感である緑色が、より高い効率係数から利益を得るので、より良好である。
【００５４】
投影対物１５の開口は、より小さい。従ってこの対物は、あまり高価ではなく、生産することがより容易である。
【００５５】
スペクトルの分割は、改善され、ミラーが使用される場合における一つのチャネルの他による汚染は、回避される。
【００５６】
レンズの後の出口の距離が、より短いと、二つのミラーの空間色投影機に対する損失は、より低い。
【図面の簡単な説明】
【図１】
本発明に従う液晶カラーディスプレイデバイス全体の図である。
【図２】
より大きい縮尺の、緑色用のマイクロレンズをもつ液晶マトリックスの一部に関する図である。
【図３】
図２に類似する様式で、青色及び赤色用のマイクロレンズをもつ液晶マトリックスを示す。
【国際公開パンフレット】
2004507796.tif 000003
2004507796.tif 000004
2004507796.tif 000005
2004507796.tif 000006
2004507796.tif 000007
2004507796.tif 000008
2004507796.tif 000009
2004507796.tif 000010
2004507796.tif 000011
2004507796.tif 000012
2004507796.tif 000013
2004507796.tif 000014
2004507796.tif 000015
2004507796.tif 000016
2004507796.tif 000017
2004507796.tif 000018
2004507796.tif 000019
2004507796.tif 000020
【国際調査報告】
2004507796.tif 000021
2004507796.tif 000022
2004507796.tif 000023
2004507796.tif 000024